Podtech/llm-jp-corpus-v4-ja_patent huggingface dataset:
【手続補正書】
【提出日】平成26年7月31日(2014.7.31)
【手続補正１】
【補正対象書類名】特許請求の範囲
【補正対象項目名】全文
【補正方法】変更
【補正の内容】
【特許請求の範囲】
【請求項１】
第１端面及び反対側に配置された第２端面を有し、前記第１端面及び前記第２端面を通って延びるボアを形成するリングと、
第１端部面を有し、前記リングの前記ボア内に配置されたロータと、を含み、前記リングと前記ロータとが協働して複数の容積室を形成する変位アセンブリと、
前記変位アセンブリに隣接して配置されたバランスプレートアセンブリと、を備えた流体装置であって、
前記バランスプレートアセンブリは、
キャビティを形成するハウジングと、
前記キャビティ内に配置され、第１の端面及び反対側に配置された第２の端面を有するバランスプレートと、を含み、
前記バランスプレートは、前記バランスプレートの前記第２の端面が前記リングの前記第１端面に当接して、前記ロータの前記第１端部面から間隔を置いた第１位置と、前記バランスプレートの前記第２の端面が前記ロータの前記第１端部面に当接して、前記バランスプレートが前記リングから間隔を置いて、前記キャビティ内に後退する第２位置との間を軸方向に移動するように構成されたことを特徴とする流体装置。
【請求項２】
更に、前記変位アセンブリの前記容積室に流体接続する回転可能なバルブ部材を備えることを特徴とする請求項１に記載の流体装置。
【請求項３】
回転可能な前記バルブ部材は、ディスクバルブタイプのバルブ部材であることを特徴とする請求項２に記載の流体装置。
【請求項４】
前記変位アセンブリは、前記リングの前記ボアの周囲に配置された複数の開口部に回転可能に配置された複数のローラを含むことを特徴とする請求項１に記載の流体装置。
【請求項５】
前記ハウジングは、該ハウジングから外側に延びるフランジを含むことを特徴とする請求項１に記載の流体装置。
【請求項６】
前記バランスプレートは、バネによって前記リングに向かって付勢されることを特徴とする請求項１に記載の流体装置。
【請求項７】
前記バネは、波形のバネであることを特徴とする請求項６に記載の流体装置。
【請求項８】
前記バネは、前記キャビティのくぼんだバネキャビティ部に配置されることを特徴とする請求項６に記載の流体装置。
【請求項９】
前記バランスプレートアセンブリの前記ハウジングは、流体を前記キャビティに送るように構成された流体通路を形成することを特徴とする請求項１に記載の流体装置。
【請求項１０】
第１端面及び反対側に配置された第２端面を有し、前記第１端面及び前記第２端面を通って延びるボアを形成するリングと、
前記リングの前記ボア内に配置され、第１端部面及び第２端部面を有するロータと、を含み、前記リングと前記ロータとが協働して複数の容積室を形成する変位アセンブリと、
前記変位アセンブリに隣接するバランスプレートアセンブリと、を備えた流体装置であって、
前記リングは、第１熱膨張率を有して、第１軸方向に熱膨張するように構成され、
前記ロータは、第１軸方向に熱膨張するように構成され、前記第１熱膨張率より大きい第２熱膨張率を有して、前記リングより大きい熱膨張率で膨張し、
前記バランスプレートアセンブリは、
キャビティを形成するハウジングと、
前記キャビティ内に配置され、第１の端面及び反対側に配置された第２の端面を有するバランスプレートと、を含み、
前記バランスプレートは、該バランスプレートの前記第２の端面が前記リングの前記第１端面に当接する第１位置と、前記バランスプレートの前記第２の端面が前記ロータの前記第１端部面に当接して、前記キャビティ内に後退する第２位置との間を軸方向に移動するように構成され、前記ロータの前記第１端部面は、前記バランスプレートを前記第２位置に移動させることを特徴とする流体装置。
【請求項１１】
前記変位アセンブリは、前記リングの前記ボアの周囲に形成された複数の開口部に配置された複数のローラを含むことを特徴とする請求項１０に記載の流体装置。
【請求項１２】
前記バランスプレートが前記第１位置にあるとき、前記ロータの前記第１端部面と前記バランスプレートの前記第２の端面との間に配置された隙間があることを特徴とする請求項１０に記載の流体装置。
【請求項１３】
前記バランスプレートは、該バランスプレートの前記第１の端面から外側に延ばされた複数の位置決めピンを含むことを特徴とする請求項１０に記載の流体装置。
【請求項１４】
前記キャビティは、前記バランスプレートの複数の前記位置決めピンを受入れるように構成された複数の位置決め穴を含むことを特徴とする請求項１３に記載の流体装置。
【請求項１５】
前記第１の端面と前記第２の端面との間に延びる前記バランスプレートの外面は、前記キャビティの側壁に対してシールするように構成されたシールを受るシール溝を形成することを特徴とする請求項１０に記載の流体装置。
【請求項１６】
流体モータの変位アセンブリの熱膨張を補償するための方法であって、
第１端面及び反対側に配置された第２端面を有し、前記第１端面及び前記第２端面を通って延びるボアを形成するリングと、
前記リングの前記ボア内に配置さたロータと、を含み、前記リングと前記ロータとが協働して複数の容積室を形成する変位アセンブリと、
第１の軸端及び反対側に配置され、キャビティを形成する第２の軸端を含むハウジングと、
前記キャビティ内に配置され、第１の端面及び反対側に配置された第２の端面を有し、該第２の端面が前記リングの前記第１端面に当接する第１位置に配置されたバランスプレートと、を有した流体装置を提供し、
前記ロータの熱膨張により、前記バランスプレートを前記バランスプレートの前記第２の端面が前記ハウジングの前記キャビティに配置される第２位置に軸方向に移動させる、ことを含むことを特徴とする方法。
【請求項１７】
前記流体装置を提供する行程は、第１熱膨張率を有する前記リングと、前記第１熱膨張と異なる第２熱膨張率を有する前記ロータとを提供することを含むことを特徴とする請求項１６に記載の流体モータの変位アセンブリの熱膨張を補償するための方法。
【請求項１８】
前記バランスプレートを移動させる行程は、前記流体装置と該流体装置内の流体との間の温度差が第１温度値より大きいとき、前記バランスプレートを前記第２位置に移動させることを含むことを特徴とする請求項１７に記載の流体モータの変位アセンブリの熱膨張を補償するための方法。
【請求項１９】
前記バランスプレートを移動させる行程は、前記流体装置と該流体装置内の流体との間の温度差が約華氏７０度のとき、前記バランスプレートを前記第２位置に移動することを含むことを特徴とする請求項１８に記載の流体モータの変位アセンブリの熱膨張を補償するための方法。
【請求項２０】
前記リングは、第１幅を有し、温度差が第１温度値より大きいとき、前記ロータは、前記第１幅より大きい第２幅を有することを特徴とする請求項１９に記載の流体モータの変位アセンブリの熱膨張を補償するための方法。
【手続補正書】
【提出日】平成26年10月21日(2014.10.21)
【手続補正１】
【補正対象書類名】特許請求の範囲
【補正対象項目名】全文
【補正方法】変更
【補正の内容】
【特許請求の範囲】
【請求項１】
クロマトグラフィー樹脂を含むメインカラム（１）と、第１のガードカラム（２）と、第２のガードカラム（３）とを備えるクロマトグラフィーシステムであって、前記第１のガードカラム（２）は前記メインカラム（１）の第１の端部（４）に接続され、前記第２のガードカラム（３）は前記メインカラムの第２の端部（５）に接続される、クロマトグラフィーシステム。
【請求項２】
第１の濃度検出器（６）は、前記メインカラム（１）の前記第１の端部（４）と前記第１のガードカラム（２）の間に接続され、第２の濃度検出器（７）は前記メインカラム（１）の前記第２の端部（５）と前記第２のガードカラム（３）の間に接続され、前記第１及び第２の濃度検出器（６、７）が任意には紫外線吸収検出器である、請求項１記載のクロマトグラフィーシステム。
【請求項３】
前記第１及び第２の濃度検出器に電気接続され、前記メインカラムの一端部（４、５）に与えられる供給液材料の組成を示している供給液信号、及び前記メインカラムの他端部（５、４）からの溶出液を示している溶出液信号を検出する決定ユニット（１８）をさらに備える、請求項２記載のクロマトグラフィーシステム。
【請求項４】
前記第１のガードカラム（２）は、供給液タンク（８）又は廃棄物レセプタクル（９）のいずれかに第１のバルブ（１０）を介して接続され、前記第２のガードカラム（３）は、供給液タンク（１５）又は廃棄物レセプタクル（１６）のいずれかに第２のバルブ（１７）を介して接続されるが、但し、前記第１のガードカラムが供給液タンクに接続される場合、前記第２のガードカラムは廃棄物レセプタクルに接続され、前記第１のガードカラムが廃棄物レセプタクルに接続される場合、前記第２のガードカラムは供給液タンクに接続される、請求項１乃至請求項３のいずれか１項記載のクロマトグラフィーシステム。
【請求項５】
決定ユニット（１８）は、前記第１及び第２のバルブに電気接続され、前記第１及び第２のバルブの位置を制御する、請求項４記載のクロマトグラフィーシステム。
【請求項６】
前記メインカラム及び前記第１及び第２のガードカラムは、Ｆｃ断片結合親和性リガンドを備えるクロマトグラフィー樹脂を含む、請求項１乃至請求項５のいずれか１項記載のクロマトグラフィーシステム。
【請求項７】
目標物質のクロマトグラフィー分離方法であって、
ａ）供給液を供給液タンク（８）から第１のガードカラム（２）を介してメインカラム（１）及び第２のガードカラム（３）を通して廃棄物レセプタクル（１６）に運ぶことによって、メインカラム（１）上に前記目標物質を充填する段階と、
ｂ）洗浄流体を前記第１のガードカラム（２）を介して前記メインカラム（１）及び前記第２のガードカラム（３）を通して運ぶことによって、前記カラムを洗浄する段階と、
ｃ）溶出流体を前記第１のガードカラム（２）又は前記第２のガードカラム（３）を介して前記メインカラム（１）を通して、溶出液タンク（１１、１３）に運ぶことによって、前記目標物質を溶出させる段階と、任意段階として、
ｄ）供給液を供給液タンク（１５）から前記第２のガードカラム（３）を介して前記メインカラム（１）及び前記第１のガードカラム（２）を通して廃棄物レセプタクル（９）に運ぶことによって、前記メインカラム（１）上に前記目標物質を充填する段階と
を含む方法。
【請求項８】
段階ａ）はさらに、前記メインカラムから出る前記流体内の目標物質の濃度を測定する段階と、前記濃度が所定の値に到達した場合に段階ａ）を終了させる段階とを含む、請求項７記載の方法。
【請求項９】
段階ａ）はさらに、前記メインカラムの漏出点又は飽和点を決定する段階と、前記漏出点又は飽和点に到達した場合に段階ａ）を終了させる段階とを含む、請求項７又は請求項８記載の方法。
【請求項１０】
段階ｂ）はさらに、前記メインカラムから出る前記流体内の目標物質の濃度を測定する段階と、前記濃度が所定の値より低い場合に段階ｂ）を終了させる段階とを含む、請求項７乃至請求項９のいずれか１項記載の方法。
【手続補正書】
【提出日】平成26年10月3日(2014.10.3)
【手続補正１】
【補正対象書類名】特許請求の範囲
【補正対象項目名】全文
【補正方法】変更
【補正の内容】
【特許請求の範囲】
【請求項１】
少なくとも１つのリソースを消費する少なくとも１つの末端装置の消費者による使用に関する監視データをサーバに送信するための方法であって、前記方法は、
前記末端装置をスマートメータの通信回路と結び付けることによって、前記末端装置を前記スマートメータに関連付けるステップと、
前記スマートメータによって、前記末端装置によって消費されたリソースを示すリソース消費データを収集するステップと、
前記スマートメータによって、前記末端装置から、前記リソース消費データとは異なる有用性に関する少なくとも１つのインジケータ及びステータス情報を収集するステップと、
前記監視データを作るために、前記ステータス情報及び前記有用性に関するインジケータを処理するステップと、
前記スマートメータによって、前記リソース消費データ及び前記監視データを前記サーバに送信するステップとを有する、方法。
【請求項２】
前記スマートメータによって前記監視データを前記サーバに送信するステップにおける前記監視データは、前記末端装置のために消費されるリソースの有用性についてのデータを示す、請求項１記載の方法。
【請求項３】
前記末端装置の前記有用性に関するインジケータ及び対応するステータス情報は、前記末端装置がリソースを節約する方法で使用されているかどうかを決定するために、前記スマートメータによって処理される、請求項１又は２に記載の方法。
【請求項４】
前記末端装置についてのリソース消費率特性及び時間情報が、前記末端装置に関するリソース消費の推定のために使用される、請求項１乃至３のいずれか１項に記載の方法。
【請求項５】
より高い優先度が少なくとも１つの末端装置に関連付けられるとともに、より低い優先度が他の末端装置に関連付けられ、前記サーバからの制御信号が前記スマートメータによって受信され、より低い優先度を持つ前記末端装置のリソース消費を削減するためのリソース消費削減勧告及びリソース消費削減命令のうちの少なくとも１つに変換される、請求項１乃至４のいずれか１項に記載の方法。
【請求項６】
前記優先度間の序列が、前記監視データに依存している、請求項５記載の方法。
【請求項７】
前記ステータス情報及び前記有用性に関するインジケータが、前記末端装置の通信モジュールによって、前記スマートメータの前記通信回路へ送信され、前記通信モジュールと前記通信回路との間で送信される信号は、ユーザへの正確な課金を保証するために、識別情報を含んでいる、請求項１乃至６のいずれか１項に記載の方法。
【請求項８】
前記末端装置においてリソースが過度に消費されていることを決定するために、前記有用性に関するインジケータを使用するステップを更に有する、請求項１乃至７のいずれか１項に記載の方法。
【請求項９】
前記スマートメータ及び前記末端装置のうちのいずれかのインタフェースによって、前記消費者に、過度に消費されたリソース量を通知するステップを含む、請求項８記載の方法。
【請求項１０】
前記消費者は、日付及び時間と関連して、過度に消費された前記リソース量を通知される、請求項９記載の方法。
【請求項１１】
前記末端装置によって、有用性を報告する可能性を示すデータを前記スマートメータに送信した後に、前記末端装置と前記スマートメータとの間で報告セッションが開始される、請求項１乃至１０のいずれか１項に記載の方法。
【請求項１２】
前記スマートメータからの要求に対する前記サーバからの応答が前記スマートメータによって受信された場合に、前記末端装置は、電源投入を開始され、前記要求は、前記末端装置のインタフェース上でのユーザのコマンド入力後に自動的に送信される、請求項１乃至１１のいずれか１項に記載の方法。
【請求項１３】
異なる消費者に関連付けられた末端装置は、それぞれ、前記スマートメータの前記通信回路と結び付けられ、異なる識別情報が、前記スマートメータとの通信のために、前記異なる消費者に対して用いられることにより、前記サーバは、前記消費者のうちの一のみを前記末端装置のうちの１つに関する前記監視データに関連付ける、請求項１乃至１２のいずれか１項に記載の方法。
【請求項１４】
サーバと通信するリソース測定システムであって、
スマートメータと、
リソースを消費する少なくとも１つの末端装置とを有し、
前記末端装置は、
ステータス情報及び有用性に関するインジケータを含む、前記末端装置についてのデータを作る検出ユニットと、
前記検出ユニットによって作られたデータを前記スマートメータに送信するための通信モジュールとを有し、
前記スマートメータは、
前記サーバとインタフェースをとって、前記サーバにデータを送信する第１のインタフェースと、前記末端装置とインタフェースをとって、前記末端装置のステータス情報及び有用性に関する少なくとも１つのインジケータを前記末端装置から受信する第２のインタフェースとを有する通信回路と、
前記末端装置にリソースを供給する媒体に接続された計測装置と、
前記計測装置に接続され、前記末端装置によって消費されたリソース量を示すリソース消費データを収集し、前記通信回路に接続され、前記ステータス情報及び前記有用性に関するインジケータの処理後に前記サーバに送信される監視データを作る、制御回路とを有する、リソース測定システム。
【請求項１５】
スマートメータと通信する電動ランプであって、
光を出力するための少なくとも１つの光源と、
前記ランプによって出力された光の有用性を示す物理データを測定するためのセンサと、前記ランプについてのステータス情報及び前記測定された物理データに基づく有用性に関するインジケータを生成するためのモジュールとを有する検出ユニットと、
前記スマートメータが、課金目的のために、前記ステータス情報及び前記有用性に関するインジケータを処理した後に得られる監視データを、前記リソース消費データと一緒に、サーバに送信するように、前記ステータス情報及び前記インジケータを前記スマートメータに送信する通信モジュールとを有する、ランプ。
【手続補正書】
【提出日】平成26年10月3日(2014.10.3)
【手続補正１】
【補正対象書類名】特許請求の範囲
【補正対象項目名】全文
【補正方法】変更
【補正の内容】
【特許請求の範囲】
【請求項１】
内部銃身及び外部銃身を備え、当該外部銃身は、空気吸入口と空気排出口を有し、後部ブロック、前部ブロック及びハンマーブロックは、前記内部銃身と前記外部銃身との間に配置され、ハンマーブロックスプリングは、前記内部銃身の前記後部ブロックの内面に取り付けられ、前記後部ブロックの対向面の前記ハンマーブロックスプリングの端部には、前記ハンマーブロックが取り付けられ、圧縮された高圧空気は、前記空気吸入口から案内されて前記ハンマーブロックを動かし、前記圧縮された高圧空気は、前記ハンマーブロックが前記後部ブロックを叩く際に前記空気排出口から解放され、前記ハンマーブロックスプリングは、前記ハンマーブロックを押し戻して前記前部ブロックを叩き、射撃後の反動を模倣するための衝撃を発生させることを特徴とするエアソフトガン。
【請求項２】
外輪と内輪が前記ハンマーブロックに配置されて前記外部銃身の前記内面と前記内部銃身の前記外面とにそれぞれ接触し、前記前部ブロック、前記外輪及び前記内輪によって前記外部銃身内にチェンバを形成し、前記ハンマーブロックは、前記前部ブロックと前記後部ブロックとの間で前記内部銃身に沿って動くことができ、前記ハンマーブロックは、前記外輪を配置する前記外面に傾斜した溝を含む請求項１のエアソフトガン。
【請求項３】
遅延機構をさらに備え、当該遅延機構には、
前記エアソフトガンの引き金が引かれている間は開いて前記圧縮された高圧空気を出力する空気弁と、
前記空気弁を開けたままにするために前記空気弁に対して下向きに動かされる栓と、
前記後部ブロックに向かってスライドする間に前記ハンマーブロックによって押される圧潰性バネと、
前記圧潰性バネが押されると前記栓を持ち上げる、前記圧潰性バネに連結されたリリーフレバーと、
前記栓が持ち上げられると、前記空気弁を解放して閉じるバルブスプリングと、が含まれる請求項１のエアソフトガン。
【手続補正書】
【提出日】平成26年8月27日(2014.8.27)
【手続補正１】
【補正対象書類名】特許請求の範囲
【補正対象項目名】全文
【補正方法】変更
【補正の内容】
【特許請求の範囲】
【請求項１】
方法であって、
ソーシャル・ネットワーキング・システムの第１ユーザについての情報を維持する工程であって、前記情報は、前記第１ユーザと前記ソーシャル・ネットワーキング・システムの１以上の他のユーザとの間に確立された１以上の接続を含む、維持工程と、
前記第１ユーザの第１位置を第１移動体デバイスから受け取る、第１位置受信工程と、
前記ソーシャル・ネットワーキング・システムの第２ユーザの第２位置を第２移動体デバイスから受け取る工程であって、前記第２ユーザは、前記ソーシャル・ネットワーキング・システムにおいて前記第１ユーザとの接続を有している、工程と、
複数のコンテンツ・オブジェクトのそれぞれに、オブジェクト位置を割り当てる工程と、
前記コンテンツ・オブジェクトのサブセットを決定する工程であって、前記サブセットのコンテンツ・オブジェクトのオブジェクト位置は、前記第１位置および前記第２位置と一致する、工程と、
前記サブセットの各コンテンツ・オブジェクトの第１ユーザについての関連性スコアを決定する方法であって、前記関連性スコアは、接続値に基づき、前記接続値は、前記第１ユーザとの接続を確立された１以上の他のユーザについてのコンテンツ・オブジェクトの関連性を表す、関連性スコア決定工程と、
少なくとも部分的に関連性スコアに基づいて、コンテンツ・オブジェクトのサブセットをランク付けする工程と、
ランク付けされたコンテンツ・オブジェクトのサブセットを、前記第１ユーザへ送信するための通知コントローラに提供する工程と、を含む方法。
【請求項２】
前記維持工程は、
１以上のカテゴリに従い前記第１ユーザの関心情報を維持する工程をさらに含む、請求項１に記載の方法。
【請求項３】
前記位置は、所定の間隔において、前記第１移動体デバイスおよび前記第２移動体デバイスから受け取られる、請求項１に記載の方法。
【請求項４】
前記位置の１つは、前記移動体デバイスの位置の変化に応答して、前記移動体デバイス
の１つから受け取られる、請求項１に記載の方法。
【請求項５】
受け取られた移動体デバイスの位置を記憶する工程をさらに含む、請求項１に記載の方法。
【請求項６】
前記第１位置受信工程は、前記第１移動体デバイスの記憶された情報を取り出す工程を含む、請求項１に記載の方法。
【請求項７】
前記第１ユーザの更新された第１位置を前記第１移動体デバイスから受け取る工程と、
前記更新された第１位置を受け取る工程に応答して、コンテンツ・オブジェクトのサブセットを再びランク付けする工程と、
をさらに含む、請求項１に記載の方法。
【請求項８】
前記関連性スコア決定工程は、
前記コンテンツ・オブジェクトの位置値を決定する工程であって、前記位置値は、前記コンテンツ・オブジェクトに割り当てられた位置と、前記第１位置との間の近接性に基づく、工程と、
前記コンテンツ・オブジェクトの関心値を決定する工程であって、前記関心値は、前記コンテンツ・オブジェクトに割り当てられたカテゴリが前記ユーザの関心情報と関連付けられている前記１以上のカテゴリに含まれるかどうかに基づく、前記コンテンツ・オブジェクトに対して決定する工程と、
前記コンテンツ・オブジェクトの時間値を決定する工程であって、現在の時刻が前記コンテンツ・オブジェクトに割り当てられた配送時間範囲に含まれるかどうかに基づく、工程と、
前記位置値と、前記関心値と、前記接続値と、前記時間値とを組み合わせて前記関連性スコアを決定する工程と、をさらに含む、請求項１に記載の方法。
【請求項９】
提供されたサブセットのコンテンツ・オブジェクトについてのユーザ公開を記憶する工程をさらに含む、請求項１に記載の方法。
【請求項１０】
提供されたコンテンツ・オブジェクトについての前記ユーザ公開に基づき、コンテンツ・オブジェクトのサブセットのランク付けを調整する工程をさらに含む、請求項９に記載の方法。
【請求項１１】
提供されたサブセットのコンテンツ・オブジェクトに関連するユーザによるアクションの知らせを受け取る工程と、
受け取った知らせに応答して、ユーザとサブセットのコンテンツ・オブジェクトとの間の関連性を記憶する工程とをさらに含む、請求項１に記載の方法。
【請求項１２】
前記通知コントローラは、前記第１ユーザに表示するために、ランク付けされたコンテンツ・オブジェクトのサブセットを前記第１移動体デバイスへ送信するように構成される、請求項１に記載の方法。
【請求項１３】
方法であって、
ソーシャル・ネットワーキング・システムの第１ユーザについての情報を維持する工程であって、前記情報は、前記第１ユーザと前記ソーシャル・ネットワーキング・システムの１以上の他のユーザとの間に確立された１以上の接続を含む、工程と、
前記第１ユーザの第１位置を第１移動体デバイスから受け取る工程と、
前記ソーシャル・ネットワーキング・システムの第２ユーザの第２位置を第２移動体デバイスから受け取る工程であって、前記第２ユーザは、前記ソーシャル・ネットワーキング
・システムにおいて前記第１ユーザとの接続を有している、工程と、
複数のコンテンツ・オブジェクトのそれぞれに、オブジェクト位置を割り当てる工程と、
前記コンテンツ・オブジェクトのサブセットを決定する工程であって、前記サブセットのコンテンツ・オブジェクトのオブジェクト位置は、前記第１位置および前記第２位置と一致する、工程と、
前記サブセットの各コンテンツ・オブジェクトの第１ユーザについての関連性スコアを決定する方法であって、前記関連性スコアは、接続値に基づき、前記接続値は、前記第１ユーザとの接続を確立された１以上の他のユーザについてのコンテンツ・オブジェクトの関連性を表す、工程と、
決定された関連性スコアに基づいて、前記サブセットの１以上のコンテンツ・オブジェクトを選択する工程と、
選択されたサブセットのコンテンツ・オブジェクトの通知を前記第１ユーザへ送信する工程と、を含む方法。
【手続補正書】
【提出日】平成25年12月17日(2013.12.17)
【手続補正１】
【補正対象書類名】特許請求の範囲
【補正対象項目名】全文
【補正方法】変更
【補正の内容】
【特許請求の範囲】
【請求項１】
複数のハードウェア・コンポーネントを含む計算デバイスで実行される方法であって、前記複数のハードウェア・コンポーネントが、前記計算デバイスのユーザー状態と前記計算デバイスのシステム状態とを保持した揮発性メモリーを含み、前記方法が、
停止命令を受けたことに応答して前記計算デバイスを停止させるために構成された停止シーケンスを実行することを含み、該停止シーケンスが、
前記計算デバイスにおけるユーザー・セッションを強制終了させるステップであって、これにより前記ユーザー状態が前記揮発性メモリーにもはや保持されなくなる、ステップと、
前記強制終了に続いて、前記揮発性メモリーの内容を不揮発性メモーにコピーするステップであって、前記コピーされた内容が、保持された前記システム状態を含むが、もはや保持されていない前記ユーザー状態を含まない、ステップと、
前記計算デバイスの前記複数のハードウェア・コンポーネントの内少なくとも一部の電源を切るステップと、
を含む、方法。
【請求項２】
請求項１記載の方法において、
前記強制終了は、前記システム状態からユーザー特定の設定を除去することを含む、方法。
【請求項３】
請求項１記載の方法であって、前記停止シーケンスは、更に、
前記電源を切ったことに続きかつ起動命令を受けたことに応答して、前記複数のハードウェア・コンポーネントの内少なくとも前記一部に電源を入れるステップ、
を含む、方法。
【請求項４】
請求項３記載の方法であって、前記停止シーケンスは、更に、
前記起動に続いて、前記不揮発性メモリーから前記揮発性メモリーに前記コピーされた内容をコピーするステップ、
を含む、方法。
【請求項５】
請求項１記載の方法であって、前記コピーされた内容をコピーすることは、前記コピーされた内容を含むファイルを検出することに基づく、方法。
【請求項６】
請求項１記載の方法において、前記内容をコピーすることは、ファイルを作成することを含む、方法。
【請求項７】
請求項１記載の方法において、前記停止シーケンスは、更に、ダーティー・データを前記不揮発性記憶に一掃することを含む、方法。
【請求項８】
コンピューター実行可能命令を格納した少なくとも１つのコンピューター記憶デバイスであって、前記コンピューター実行可能命令は、計算デバイスによって実行されると、停止命令を受けたことに応答して前記計算デバイスを停止させるために構成された停止シーケンスを前記計算デバイスに実行させ、前記計算デバイスが、該計算デバイスのユーザー状態と前記計算デバイスのシステム状態とを保持する揮発性メモリーを含む複数のハードウェア・コンポーネントを含み、前記停止シーケンスが、
前記計算デバイスにおけるユーザー・セッションを強制終了させるステップであって、これにより前記ユーザー状態が前記揮発性メモリーにもはや保持されなくなる、ステップと、
前記強制終了に続いて、前記揮発性メモリーの内容を不揮発性メモリーにコピーするステップであって、コピーされた前記内容が、保持された前記システム状態を含むが、もはや保持されていない前記ユーザー状態を含まない、ステップと、
前記計算デバイスの前記複数のハードウェア・コンポーネントの内少なくとも一部の電源を切るステップと、
を含む、少なくとも１つのコンピューター記憶デバイス。
【請求項９】
請求項８記載の少なくとも１つのコンピューター記憶デバイスにおいて、前記強制終了は、前記システム状態からユーザー特定の設定を除去することを含む、少なくとも１つのコンピューター記憶デバイス。
【請求項１０】
請求項８記載の少なくとも１つのコンピューター記憶デバイスにおいて、前記停止シーケンスは、更に、前記電源を切ったことに続きかつ起動命令を受けたことに応答して、前記複数のハードウェア・コンポーネントの内少なくとも前記一部に電源を入れるステップ、を含む、少なくとも１つのコンピューター記憶デバイス。
【請求項１１】
請求項１０記載の少なくとも１つのコンピューター記憶デバイスにおいて、前記停止シーケンスは、更に、前記起動に続いて、前記不揮発性メモリーから前記揮発性メモリーに前記コピーされた内容をコピーするステップを含む、少なくとも１つのコンピューター記憶デバイス。
【請求項１２】
請求項８記載の少なくとも１つのコンピューター記憶デバイスにおいて、前記コピーされた内容をコピーすることは、前記コピーされた内容を含むファイルを検出することに基づく、コンピューター記憶デバイス。
【請求項１３】
請求項８記載の少なくとも１つのコンピューター記憶デバイスにおいて、前記内容をコピーすることは、ファイルを作成することを含む、少なくとも１つのコンピューター記憶デバイス。
【手続補正書】
【提出日】平成26年8月14日(2014.8.14)
【手続補正１】
【補正対象書類名】特許請求の範囲
【補正対象項目名】全文
【補正方法】変更
【補正の内容】
【特許請求の範囲】
【請求項１】
１０．４６、１８．７６および１９．８３°２θ±０．１°２θでのピークを特徴とする、２−（５−ブロモ−４−（４−シクロプロピルナフタレン−１−イル）−４Ｈ−１，２，４−トリアゾル−３−イルチオ）酢酸の結晶多形体：
【化１】
2014501282.tif 000001
【請求項２】
１８．２１または２３．０８°２θ±０．１°２θでの少なくとも１つのさらなるピークをさらに特徴とする、請求項１に記載の結晶多形体。
【請求項３】
図５に示されるＸ線粉末回折パターンと略同じＸ線粉末回折パターンを示すことを特徴とする、請求項１に記載の結晶多形体。
【請求項４】
水と酢酸エチルの混合物から、２−（５−ブロモ−４−（４−シクロプロピルナフタレン−１−イル）−４Ｈ−１，２，４−トリアゾル−３−イルチオ）酢酸を結晶化する工程を含む方法によって調製される、請求項１の２−（５−ブロモ−４−（４−シクロプロピルナフタレン−１−イル）−４Ｈ−１，２，４−トリアゾル−３−イルチオ）酢酸の結晶性の多形形態。
【請求項５】
活性成分として、請求項１の結晶多形体を含む、有効な量の２−（５−ブロモ−４−（４−シクロプロピルナフタレン−１−イル）−４Ｈ−１，２，４−トリアゾル−３−イルチオ）酢酸、および
少なくとも１つの賦形剤または担体、を含むことを特徴とする固形医薬組成物。
【請求項６】
１０．３２、１８．８４、および２０．７５°２θ±０．１°２θでのピークを特徴とする、２−（５−ブロモ−４−（４−シクロプロピルナフタレン−１−イル）−４Ｈ−１，２，４−トリアゾル−３−イルチオ）酢酸の結晶多形体：
【化２】
2014501282.tif 000002
【請求項７】
活性成分として請求項６の２−（５−ブロモ−４−（４−シクロプロピルナフタレン−１−イル）−４Ｈ−１，２，４−トリアゾル−３−イルチオ）酢酸の形態１、および、
活性成分として請求項１の２−（５−ブロモ−４−（４−シクロプロピルナフタレン−１−イル）−４Ｈ−１，２，４−トリアゾル−３−イルチオ）酢酸の形態２、および、
少なくとも１つの賦形剤または担体、を含むことを特徴とする固形医薬組成物。
【請求項８】
２−（５−ブロモ−４−（４−シクロプロピルナフタレン−１−イル）−４Ｈ−１，２，４−トリアゾル−３−イルチオ）酢酸の結晶多形体の調製のためのプロセスであって、
前記プロセスは、
結果的に溶液となる水の中に、ナトリウム２−（５−ブロモ−４−（４−シクロプロピルナフタレン−１−イル）−４Ｈ−１，２，４−トリアゾル−３−イルチオ）酢酸を溶解する工程、
鉱酸を加える工程、
酢酸エチルを加える工程、
有機質層を分離する工程、
有機質層から結晶多形体を沈殿させる工程を含み、
ここで、前記結晶多形体は、１０．４６、１８．７６、および１９．８３°２θ±０．１°２θでのピークを特徴とする、プロセス。
【請求項９】
前記プロセスは、以下；
前記鉱酸は臭化水素酸を含み、
前記鉱酸は約１．０５当量で加えられ、
前記有機質層の容量は、結晶多形体を沈殿させるために減らされ、
前記有機質層は、結晶多形体を沈殿させるために冷却され、
前記結晶多形体は、濾過および洗浄され、及び／又は
前記結晶多形体は、１８．２１または２３．０８°２θ±０．１°２θでの少なくとも１つのさらなるピークをさらに特徴とする、
の１つ以上を特徴とする、請求項８に記載のプロセス。
【請求項１０】
請求項１の２−（５−ブロモ−４−（４−シクロプロピルナフタレン−１−イル）−４Ｈ−１，２，４−トリアゾル−３−イルチオ）酢酸の結晶多形体の調製のためのプロセスであって、
前記プロセスは、
（ａ）水相および有機相を形成するために、ナトリウム２−（５−ブロモ−４−（４−シクロプロピルナフタレン−１−イル）−４Ｈ−１，２，４−トリアゾル−３−イルチオ）酢酸を、水酸化ナトリウム水溶液および有機溶媒と接触させる工程、
（ｂ）有機相を工程（ａ）の混合物から分離する工程、および、
（ｃ）有機相から２−（５−ブロモ−４−（４−シクロプロピルナフタレン−１−イル）−４Ｈ−１，２，４−トリアゾル−３−イルチオ）酢酸を結晶化する工程を含む、ことを特徴とするプロセス。
【請求項１１】
請求項１の２−（５−ブロモ−４−（４−シクロプロピルナフタレン−１−イル）−４Ｈ−１，２，４−トリアゾル−３−イルチオ）酢酸の結晶多形体の調製のためのプロセスであって、
前記プロセスは、水と酢酸エチルの混合物から２−（５−ブロモ−４−（４−シクロプロピルナフタレン−１−イル）−４Ｈ−１，２，４−トリアゾル−３−イルチオ）酢酸を結晶化する工程を含む、ことを特徴とするプロセス。
【手続補正書】
【提出日】平成26年2月21日(2014.2.21)
【手続補正１】
【補正対象書類名】特許請求の範囲
【補正対象項目名】全文
【補正方法】変更
【補正の内容】
【特許請求の範囲】
【請求項１】
脂肪、タンパク質および炭水化物を含む組成物であって、前記炭水化物が総組成物の１〜１５ｗｔ％の範囲の食物繊維を含み、前記組成物が、硬度試験機中で２ｍｍ／秒の一定試験速度でタブレットに水平に力をかけて試験する場合に１５Ｎ〜２５０Ｎの硬度を有するタブレットの形態である、組成物。
【請求項２】
４０℃において３５秒未満で９５％溶解する、請求項１に記載の組成物。
【請求項３】
組成物の総重量に対して、７〜２５ｗｔ％のタンパク質と、３０〜７０ｗｔ％の炭水化物と、１０〜３０ｗｔ％の脂肪とを含む、請求項１または2のいずれか１項に記載の組成物。
【請求項４】
組成物の総重量に対して、８〜１０ｗｔ％のタンパク質と、５５〜６５ｗｔ％の炭水化物と、１５〜２５ｗｔ％の脂肪とを含む、請求項１〜３のいずれか１項に記載の組成物。
【請求項５】
前記脂肪が多価不飽和脂肪酸を含む、請求項１〜４のいずれか１項に記載の組成物。
【請求項６】
前記脂肪が、組成物の総重量に対して、少なくとも１ｗｔ％の多価不飽和脂肪酸を含む、請求項１〜５のいずれか１項に記載の組成物。
【請求項７】
前記脂肪が、組成物の総重量に対して、少なくとも０．１ｗｔ％のＥＰＡもしくはＤＨＡまたはそれらの混合物を含む、請求項１〜６のいずれか１項に記載の組成物。
【請求項８】
前記脂肪が、組成物の総重量に対して、１〜５ｗｔ％のＥＰＡもしくはＤＨＡまたはそれらの混合物を含む、請求項１〜７のいずれか１項に記載の組成物。
【請求項９】
前記食物繊維は、ガラクトオリゴ糖、トランスガラクトオリゴ糖、フルクタン、フルクトオリゴ糖、長鎖フルクトオリゴ糖、短鎖フルクトオリゴ糖、キシロオリゴ糖、パラチノースオリゴ糖、大豆オリゴ糖、ペクチン、ペクテート、アルギネート、シアログリカン、フコイダン、フコオリゴ糖、および／または食物繊維の分解生成物からなる群から選択される少なくとも１種の食物繊維を含む、請求項１〜８のいずれか１項に記載の組成物。
【請求項１０】
前記食物繊維は、ガラクトオリゴ糖、トランスガラクトオリゴ糖、フルクタン、フルクトオリゴ糖、長鎖フルクトオリゴ糖、短鎖フルクトオリゴ糖、及びキシロオリゴ糖からなる群から選択される少なくとも１種の食物繊維を含む、請求項１〜９のいずれか１項に記載の組成物。
【請求項１１】
前記食物繊維は、ガラクトオリゴ糖とフルクタンとの混合物を含む、請求項１〜１０のいずれか１項に記載の組成物。
【請求項１２】
０〜３６ヵ月の幼児の成長の食事管理のための、請求項１〜１１のいずれか１項に記載の組成物の使用。
【請求項１３】
脂肪、タンパク質および炭水化物を含む圧縮粉末の溶解時間を改善するための食物繊維の使用であって、前記炭水化物が総組成物の１〜１５ｗｔ％の範囲の食物繊維を含む、使用。
【手続補正書】
【提出日】平成26年10月31日(2014.10.31)
【手続補正１】
【補正対象書類名】特許請求の範囲
【補正対象項目名】全文
【補正方法】変更
【補正の内容】
【特許請求の範囲】
【請求項１】
その必要がある患者の歯科疾患、障害または損傷を予防し、回復させ、改善し、または治療するための方法において使用するための医薬組成物であって、胚外サイトカイン分泌(ECS)細胞、それに由来するならし培地、それに由来する細胞溶解物、それに由来する細胞産物、および生理的サイトカイン溶液(PCS)からなる群から選択される1種以上の組成物の治療上有効量を含み、該方法が、該医薬組成物を該患者に投与するステップを含む、前記医薬組成物。
【請求項２】
歯科疾患が歯肉炎および歯周炎からなる群から選択される、請求項１の医薬組成物。
【請求項３】
ECS細胞が羊膜由来多能性前駆(AMP)細胞である、請求項１の医薬組成物。
【請求項４】
ならし培地が羊膜由来細胞性サイトカイン溶液(ACCS)またはプールされたACCSである、請求項１の医薬組成物。
【請求項５】
PCSが持続放出用に製剤化されている、請求項１の医薬組成物。
【請求項６】
ACCSまたはプールされたACCSが持続放出用に製剤化されている、請求項４の医薬組成物。
【請求項７】
ECS細胞、それに由来するならし培地、それに由来する細胞溶解物、またはそれに由来する細胞産物を含む前記医薬組成物を、他の物質または治療法と組み合わせて投与する、請求項１の医薬組成物。
【請求項８】
他の物質が活性物質である、請求項７の医薬組成物。
【請求項９】
活性物質が、成長因子、サイトカイン、インヒビター、免疫抑制剤、ステロイド、ケモカイン、抗体、抗生物質、抗真菌剤、抗ウイルス剤、マイトマイシンC、および他の細胞タイプからなる群から選択される、請求項８の医薬組成物。
【請求項１０】
他の治療法が非外科的および外科的治療法からなる群から選択される、請求項７の医薬組成物。
【請求項１１】
非外科的治療法が、専門的歯科クリーニング、スケーリングおよびルートプレーニングからなる群から選択される、請求項１０の医薬組成物。
【請求項１２】
外科的治療法が、フラップ手術/ポケット縮小手術、骨移植、組織工学、軟組織移植、組織再生誘導法、および骨の外科手術からなる群から選択される、請求項１０の医薬組成物。
【手続補正書】
【提出日】平成26年10月21日(2014.10.21)
【手続補正１】
【補正対象書類名】特許請求の範囲
【補正対象項目名】全文
【補正方法】変更
【補正の内容】
【特許請求の範囲】
【請求項１】
制御雰囲気中でプラスチック材料（６）のフィルムによって、特に食物製品あるいは技工物を含むトレイを包装するパッケージング装置（１）において、
トレイ（２）を収容するチャンバーを形成するのに適した上部チャンバー（３）及び下部チャンバー（４）を備え、
これらのチャンバーは、互いに重ねることによって締結可能であり、それぞれ内部に同心状に配置された複数の熱融着手段及び／又は切断手段及び／又は打抜手段（１２ａ、１２ｂ、１２ｃ、１３ａ、１３ｂ、１３ｃ）を設け、上記下部チャンバー（４）は、上記トレイ（２）用の支持手段を中心に設けている、
ことを特徴とするパッケージング装置。
【請求項２】
上記フィルムは単折返しフィルム（６）であり、
上記上部チャンバー（３）及び上記下部チャンバー（４）は、重ね合わせによって密閉して他方の容器に締結可能である容器によって構成され、
気密用のバンドあるいはガスケットが上記上部チャンバー（３）及び上記下部チャンバー（４）の外側縁（５ａ、５ｂ）に沿って設けられる、
ことを特徴とする請求項１に記載のパッケージング装置。
【請求項３】
プラスチック材料の上記フィルム（６）は、適切なロール（７）からほどかれ、上部領域で上記上部チャンバー（３）の片側に付随し、上記上部チャンバー（３）及び上記下部チャンバー（４）の外側縁（５ａ、５ｂ）に近接して存在する対のガイド（８ａ、８ｂ）で案内され、上記上部チャンバー（３）に横方向に配置される第１モーター（１０）によって制御される巻取機（９）に巻き戻される、ことを特徴とする請求項１又は２に記載のパッケージング装置。
【請求項４】
熱融着手段及び／又は切断手段及び／又は打抜手段は、上記上部チャンバー（３）及び上記下部チャンバー（４）の各一つの内部に配置され、役目を果たすように上記トレイ（２）が作製されるべき自由空間（１１）を内部で中心に形成するように、上記チャンバー内に同心状に配置される、ことを特徴とする請求項１から３のいずれか一つに記載のパッケージング装置。
【請求項５】
上記熱融着手段及び／又は切断手段及び／又は打抜手段は、一連の上部プレッサー（１２ａ、１２ｂ、１２ｃ）から構成され、互いの中に差し込まれ、上記上部チャンバー（３）内に相互に同軸で配置され、熱融着及び／又は切断及び／又は打ち抜きのシステムを設ける、ことを特徴とする請求項１から４のいずれか一つに記載のパッケージング装置。
【請求項６】
上記上部プレッサーは３つである、ことを特徴とする請求項５に記載のパッケージング装置。
【請求項７】
上記熱融着手段及び／又は切断手段及び／又は打抜手段は、一連の下部プレッサー（１３ａ、１３ｂ、１３ｃ）を備え、下部チャンバー（４）の内側で互いの中に同軸上に差し込まれ、上記上部プレッサー（１２ａ、１２ｂ、１２ｃ）にそれぞれ対応するように上記上部プレッサーに対して配置される、ことを特徴とする請求項５又は６に記載のパッケージング装置。
【請求項８】
上記上部プレッサー（１２ａ、１２ｂ、１２ｃ）及び上記下部プレッサー（１３ａ、１３ｂ、１３ｃ）は、個々にあるいは共にあるいは交互に、垂直に移動可能であり、かつ空気圧シリンダーのようなアクチュエーター（１４）によって制御され、上記上部チャンバー（３）の上で、かつ上記下部チャンバー（４）の下に好ましくは配置される、ことを特徴とする請求項７に記載のパッケージング装置。
【請求項９】
上記上部チャンバー（３）の上記上部プレッサー（１２ａ、１２ｂ、１２ｃ）は固定されている、ことを特徴とする請求項５から７のいずれか一つに記載のパッケージング装置。
【請求項１０】
上記上部プレッサー（１２ａ、１２ｂ、１２ｃ）は、熱融着される特定のトレイ（２）に対応した高さを有する箱形状であり、上記下部プレッサー（１３ａ、１３ｂ、１３ｃ）は、等しい高さの同心円状の輪によって構成され、その機能は、対応し覆っている上部プレッサー（１２ａ、１２ｂ、１２ｃ）の周囲縁（１５）に対して接することであり、上記下部プレッサー（１３ａ、１３ｂ、１３ｃ）は、端部に隣接し上記上部プレッサー（１２ａ、１２ｂ、１２ｃ）に面する外側縁に、作業サイクル中に上記フィルム（６）の切断を可能とするのに適しているブレード（１９）を設けている、ことを特徴とする請求項７又は８に記載のパッケージング装置。
【請求項１１】
自由空間（１１）に平面（１６）を設け、この平面は、上記下部チャンバー（４）の基礎部分（１８）に対して滑動可能である適切なシャフト（１７）によって上記下部チャンバー（４）に対して垂直に移動可能であり、上記トレイ（２）用の支持は、ばね付勢タイプである、ことを特徴とする請求項１から１０のいずれか一つに記載のパッケージング装置。
【請求項１２】
上記フィルム（６）はフラット・シート・タイプである、ことを特徴とする請求項１に記載のパッケージング装置。
【請求項１３】
請求項１から１２のいずれか一つに記載のパッケージング装置を用いて、特に、制御雰囲気中でプラスチック材料（６）のフィルムによって食物製品あるいは技工物を含むトレイを包装するパッケージング方法において、
下部チャンバーに配置された、支持体におけるトレイをセンタリングすることによって、上部チャンバーの下の位置に位置決めすること、
トレイの大きさに対応して選択された上部及び／又は下部プレッサー手段を作動して、閉鎖のため下部チャンバーを上部チャンバーの方へあるいはその逆に移動すること、
を備えたことを特徴とするパッケージング方法。
【請求項１４】
プレッサー手段の作動前に上記トレイのサイズを自動的に決定することを備える、ことを特徴とする請求項１３に記載のパッケージング方法。
【手続補正書】
【提出日】平成26年11月7日(2014.11.7)
【手続補正１】
【補正対象書類名】特許請求の範囲
【補正対象項目名】全文
【補正方法】変更
【補正の内容】
【特許請求の範囲】
【請求項１】
車両用ステアリングホイールの製造方法であって：
ａ）ステアリングホイールリムを提供するステップ；
ｂ）前記ステアリングホイールリムのカバーを作るための特に革製の第１及び第２ブランクを提供するステップであり、前記ステアリングホイールが完成した後で該カバーが視認可能であるところのステップ；
ｃ）縫い目を介して前記第１ブランクの第１エッジセクションを前記第２ブランクの第１エッジセクションに接続することによって前記カバーを作るステップ；及び
ｄ）ステップｃ）にしたがって作られるカバーで前記ステアリングホイールリムを最終的に覆うステップであり、前記第１ブランクと前記第２ブランクとを互いに接続する前記縫い目が、基本的に前記ステアリングホイールリムの円周に沿って続き、且つ、完成した前記ステアリングホイールにおいて外側から視認可能であるところのステップ；
を有する方法。
【請求項２】
ステップｃ）にしたがって縫合する前に、前記第１ブランクにおける第１エッジセクションのエッジが、前記第２ブランクにおける第１エッジセクションのエッジに接触させられ、２つの第１エッジセクションが基本的に重ならないようにする、
請求項１に記載の方法。
【請求項３】
ステップｄ）にしたがった被覆の後に、前記第１ブランクにおける第２エッジセクションが、前記第２ブランクにおける第２エッジセクションに接続される、
請求項１に記載の方法。
【請求項４】
互いに接続される前記第２エッジセクションは、基本的に前記ステアリングホイールリムの円周に沿って続く、
請求項３に記載の方法。
【請求項５】
前記第２エッジセクションの双方は、重なるように配置され、或いは、前記第１ブランクにおける第２エッジセクションのエッジが、前記第２ブランクにおける第２エッジセクションのエッジに接触させられる、
請求項３に記載の方法。
【請求項６】
前記第１ブランク及び／又は前記第２ブランクは、複数の部品で構成される、
請求項１に記載の方法。
【請求項７】
前記第１ブランクと前記第２ブランクとを互いに接続する前記縫い目は、ステップｃ）にしたがった被覆の後、前記ステアリングホイールリムの内円周に沿って続く、
請求項１に記載の方法。
【請求項８】
互いに接続される前記第２エッジセクションは、接続後に、車両内に取り付けられたときの前記ステアリングホイールの状態に関して運転者から遠ざかる方向を向いて配置されるように延在する、
請求項３に記載の方法。
【請求項９】
前記第１ブランク及び／又は前記第２ブランクにおける第１端部セクション及び第２端部セクションは、それぞれにおいて、環状構造が生じるように、互いに接続される、
請求項１に記載の方法。
【請求項１０】
車両用ステアリングホイールのステアリングホイールリムを覆うカバーであって：
第１ブランク及び第２ブランクであり、前記カバーが空間的設計を得るように、前記第１ブランクの第１エッジセクションが縫い目を介して前記第２ブランクの第１エッジセクションに接続され、且つ、前記ステアリングホイールリム上に前記カバーを配置した後、前記ステアリングホイールリムの内円周に沿って前記縫い目が続くところの第１ブランク及び第２ブランクを含み、
前記第１ブランク及び前記第２ブランクは、それぞれにおいて、第２円周方向自由エッジセクションを含み、該第２円周方向自由エッジセクションは、前記カバーで前記ステアリングホイールリムを覆った後に、車両内に取り付けられたときの前記ステアリングホイールの状態に関して、車両の運転者から遠ざかる方向を向くように延在する、
カバー。
【手続補正２】
【補正対象書類名】明細書
【補正対象項目名】００５０
【補正方法】変更
【補正の内容】
【００５０】
図５及び図６に示すブランク１、２の領域が、それぞれにおいて、同じ１つのブランクにおける異なる領域を示すこと、すなわち、１つのカバーが、図５に示すようなブランク１、２の領域を含み、且つ、図６に示すような領域をも含むことも考えられ得る。その場合、そのカバーは、図５に示すようなステアリングホイールのより太いスポークの領域に合うように、且つ、図６に示すような１つの（又は複数の）より細いスポークの領域に合うように設計される。
（備考）
（出願時請求項５）
前記ステアリングホイールリムは、溝を含み、
前記第２エッジセクションの双方は、前記溝への挿入によって互いに接続され、或いは、固定手段を介して互いに接続された後で前記溝に挿入される、
出願時請求項３又は４に記載の方法。
（出願時請求項６）
前記第２エッジセクションの双方は、互いに接着される、
出願時請求項５に記載の方法。
（出願時請求項７）
前記ステアリングホイールリムは、ステアリングホイールリム骨格と、前記ステアリングホイールリム骨格を取り囲む発泡体とを含み、
前記溝は、前記発泡体に形成される、
出願時請求項５又は６に記載の方法。
（出願時請求項９）
前記ステアリングホイールリムは、ステアリングホイールリム骨格、及び、前記ステアリングホイールリム骨格を取り囲む発泡体を含み、
ステップｃ）にしたがって作られる前記カバーは、少なくとも部分的には前記発泡体にしっかりと接着されて接続される、
出願時請求項１乃至８の何れか一項に記載の方法。
（出願時請求項１３）
前記第１ブランク及び前記第２ブランクを互いに接続する前記縫い目と、互いに接続される前記第２エッジセクションとは、被覆された前記ステアリングホイールリムを通る断面を見た場合、少なくともおおまかには９０度の角度で配置される、
出願時請求項１乃至１２の何れか一項に記載の、出願時請求項３に従属する方法。